(57)【特許請求の範囲】
【請求項１】
内部に泡水溶液が放出される放水口が貫設されたヘッド本体と、該ヘッド本体の下部に接続されたアームと、常時は前記放水口を封止し、火災時には降下する弁体と、該弁体と前記アームとの間に設けられ、前記放水口を封止する位置に前記弁体を支持する感熱部材と、前記アームの下端に設けたデフレクタと、を備えた閉鎖型泡ヘッドであって、
前記ヘッド本体の外周に設けられた筒状のフランジ部と、
前記フランジ部の内側に設けられ、中央に開口部が形成された、前記デフレクタよりも小径で板状の第１の発泡網と、
前記弁体から前記感熱部材側に設けられた挿通部と、
を備え、
該挿通部の下端は前記第１の発泡網より感熱部材側に突出し、
前記第１の発泡網によって発泡した前記泡水溶液を、前記デフレクタに衝突させてさらに発泡させる
ことを特徴とする閉鎖型泡ヘッド。
【請求項２】
前記弁体を内部に有し、前記弁体より大径筒状に形成された第２の発泡網を、前記放水口と前記第１の発泡網の間に設けたことを特徴とする請求項１記載の閉鎖型泡ヘッド。
【請求項３】
前記ヘッド本体の側面に吸気口を設けたことを特徴とする請求項１又は２記載の閉鎖型泡ヘッド。
【請求項４】
内部に放水口が貫設されたヘッド本体と、該ヘッド本体の下部に接続されたアームと、常時は前記放水口を封止し、火災時には降下する弁体と、該弁体と前記アームとの間に設けられ、前記放水口を封止する位置に前記弁体を支持する感熱部材と、を備えた閉鎖型泡ヘッドであって、
前記ヘッド本体の外周に設けられた筒状のフランジ部と、
前記フランジ部の内側に設けられ、中央に開口部が形成された板状の第１の発泡網と、
前記弁体から前記感熱部材側に設けられた挿通部と、
を備え、
該挿通部の下端は前記第１の発泡網より感熱部材側に突出し、
前記弁体を内部に有し、前記弁体より大径筒状に形成された第２の発泡網を、前記放水口と前記第１の発泡網の間に設けたことを特徴とする閉鎖型泡ヘッド。
【発明の詳細な説明】
【技術分野】
【０００１】
本発明は火災を消火する閉鎖型泡ヘッドに関するものである。
【背景技術】
【０００２】
従来、区画内の火災の熱によって動作する閉鎖型のスプリンクラヘッドがある。この閉鎖型のスプリンクラヘッドからは大量の消火用水が放出されるため、一度動作すると区画内の機器等が水損によって故障してしまう。これに対し、駐車場などに取り付けられる泡消火設備がある。この泡消火設備に取り付けられる泡ヘッドは、開放型のノズルに発泡用の金網を取り付け、一斉開放弁を介して放出させていた。このような泡消火設備には、一斉開放弁を動作させるための感知ヘッドを別途取り付けるため、余計な配管が必要となり、コストやメンテナンスも面倒だった。
【０００３】
そこで、閉鎖型の泡ヘッドが望まれており、例えばフレーム型スプリンクラヘッドを利用したものがある。これは、給水管に接続されるねじ部を有し中心部に放水口が貫設された本体と、本体の放水口を封止する弁体と、本体から下方に向けて設けられる２本のアームからなるフレームと、弁体を支持するグラスバルブと、からなるフレーム型スプリンクラヘッドにおいて、その本体下面に発泡用の有底筒状の金網を備えたものである。
【０００４】
この閉鎖型泡ヘッドでは、金網の内部に弁体が収容されており、この弁体を金網の外部からグラスバルブで支持している。火災時に、グラスバルブが破裂すると、弁体が、弁体下部に設けたガイド部材によってガイドされて降下して、金網内部底面に着座し、放水口が開放される。こうして放水口から流れ出た泡水溶液が弁体頭部にあたって金網内に拡散し、金網から外部に出るとき泡となって放出される。（特許文献１参照）。
【先行技術文献】
【特許文献】
【０００５】
意匠登録第１３１７６３８号
【発明の概要】
【発明が解決しようとする課題】
【０００６】
従来の閉鎖型泡ヘッドは、金網の周囲に２本のアームが設けられ、そのアームにより金網を外力より保護しているが、従来の閉鎖型泡ヘッドのように、金網の周囲に２本のアームしかないと、金網が露出し、外部からの衝撃を受けやすいという問題がある。
【課題を解決するための手段】
【０００７】
この発明は、内部に泡水溶液が放出される放水口が貫設されたヘッド本体と、ヘッド本体の下部に接続されたアームと、常時は放水口を封止し、火災時には降下する弁体と、弁体とアームとの間に設けられ、放水口を封止する位置に弁体を支持する感熱部材と、アームの下端に設けたデフレクタと、を備えた閉鎖型泡ヘッドであって、ヘッド本体の外周に設けられた筒状のフランジ部と、フランジ部の内側に設けられ、中央に開口部が形成された、デフレクタよりも小径で板状の第１の発泡網と、弁体から感熱部材側に設けられた挿通部と、を備え、挿通部の下端は第１の発泡網より感熱部材側に突出し、第１の発泡網によって発泡した泡水溶液を、デフレクタに衝突させてさらに発泡させることを特徴とする。
【発明の効果】
【０００８】
閉鎖型泡ヘッドの内部（筒状のフランジ部の内側）に発泡用網が設けられているので、平常時に発泡網が外部に露出せず外力を受けにくい。そのため、外力によって発泡網が変形するのを防ぐことができる。
【図面の簡単な説明】
【０００９】
【図１】本発明の閉鎖型泡ヘッド（作動前）の断面図である。
【図２】本発明の閉鎖型泡ヘッド（作動時）の断面図である。
【発明を実施するための最良の形態】
【００１０】
以下、本発明の閉鎖型泡ヘッド１を、図１を用いて説明する。図１において、２はヘッド本体で、ヘッド本体２の中央内部には消火水（泡水溶液）が放水される放水口３が貫設されている。ヘッド本体２の上部外周には、立ち下がり管と接続するためのねじ部が形成されている。ヘッド本体２の下部にはフランジ部２Ａが形成され、このフランジ部２Ａ外周部の内側には雌ねじが形成され、そこにデフレクタ７を有するフレーム４の上部が螺着される。
【００１１】
フレーム４は、板状に形成された２本のアームを対向して設けられ、アームの下端にはデフレクタ７が形成される。デフレクタ７は、折り曲げられた板を周方向に等間隔をおいて設けられている。
また、フレーム４の内側には、後述する第１の発泡網１０の外周を係止する係止段部８が形成されている。係止段部８は、フレーム４の上部であって、フランジ部２Ａの下端と同じ高さに形成され、後述する弁体５の中央よりも下方、即ち感熱部材６側に形成されている。係止段部８は、フレーム４の内側上部に水平方向に沿って設けられた段部であり、この段部に第１の発泡網１０の外周が係止される。
【００１２】
５は弁体で、頭部５Ａの下部に大径部５Ｂを有し、大径部５Ｂの下部に挿通部５Ｃを有している。挿通部５Ｃの側面は、下端に向かって小さくなるように傾斜が設けられており、さらに挿通部５Ｃの下端には、後述する感熱部材６の上端が挿入される凹部を有している。
【００１３】
６は感熱部材で、例えばグラスバルブである。以下、本実施例では感熱部材６をグラスバルブ６として説明する。グラスバルブ６はフレーム４内に設けられ、弁体５を支持している。グラスバルブ６の上端は、弁体５の下方内側に形成した凹部内に挿入され、下端はデフレクタの中心、又はアーム４の下端が結合する場所に設けられた止めねじ上に置かれている。このようにして放水口３は常時弁体５によって封止されている。
【００１４】
９は空気取入口で、ヘッド本体２のフランジ部２Ａに複数個設けられており、閉鎖型泡ヘッド１外部とヘッド本体２内部とが連通している。放水口３から泡水溶液が放出される際に、空気取入口９から空気が取り込まれて、発泡させる。
１０は第１の発泡網で、ドーナツ状に形成され、中央には挿通部５Ｃを挿通するための開口部を有している。この開口部は、弁体５の大径部５Ｂより小径に形成されており、大径部５Ｂが開口部に係止することで、弁体５の降下が停止する。
１１は第２の発泡網で、弁体５の外形と同一又は一回り大径の筒状に形成され、放水口３と第１の発泡網１０の間のヘッド本体２内に設けられている。なお放水口３、弁体５、第１の発泡網１０、第２の発泡網１１、グラスバルブ６、及びデフレクタ７の中心は同一直線上になるように設けられている。
【００１５】
続いて、本発明における閉鎖型泡ヘッドの火災時の動作を、図２を用いて説明する。
火災時には、火災の熱によりグラスバルブ６が破裂し、放水口３を封止していた弁体５が降下して、放水口３を開栓する。グラスバルブ６が破裂すると、フレーム４の間から、破裂したグラスバルブ６の破片が落下する。そしてグラスバルブ６によって支持されていた弁体５が降下する。弁体５が降下を始めると、弁体５の下部に設けられた挿通部５Ｃが第１の発泡網１０の中央開口部に沿って弁体５を垂直に降下させる。
【００１６】
このとき、挿通部５Ｃの側面には傾斜が設けられているので、挿通部５Ｃが発泡網１０の開口部に引っかかることなく滑らかに降下できる。さらに、第２の発泡網１１は弁体５の大径部５Ｂの外形と同一又は一回り大径に形成されているので、弁体５が降下する際に、第２の発泡網１１が弁体５の降下をガイドするガイド部材の役割を兼ねるので、より滑らかに弁体５が降下する。そして、大径部５Ｂが発泡網１０の開口部に係止しすることで、弁体５が、アーム４の係止段部８の高さで降下を停止する。
【００１７】
弁体５が開栓すると、泡水溶液が放水口３から放出される。そして泡水溶液は、第２の発泡網１１を通った後、空気取入口９から取り込んだ空気を巻き込んで第１の発泡網１０に衝突して発泡する。このとき、泡水溶液は第２の発泡網１１を通過する際に、予備発泡するので、第１の発泡網１０に衝突する際、より効率よく発泡できる。
その後、発泡した泡水溶液は、アーム４の下端に設けられたデフレクタ７に衝突する勢いによってさらに発泡し、防護領域内に放射される。
【００１８】
本発明は以上のように、第１の発泡網１０及び第２の発泡網１１をヘッド本体２の内部に設けたので、発泡網が外部に露出せず、外力の影響を受けにくいので、外力による発泡網の変形を防ぐことができる。
【００１９】
なお、本実施形態では、放水口３と第１の発泡網１０の間に第２の発泡網１１を設けたが、第２の発泡網１１を無くしてもよい。
【００２０】
また、本実施形態では、空気取入口９をフランジ部２Ａに設けたが、ヘッド本体２の上部に設けてもよい。特に図２の破線で示す様に、ヘッド本体２から、放水口３よりも大径部５Ｂ側且つ第２の発泡網１１の内側へ向かうように連通する開口を設けてもよい。これにより、泡水溶液が第２の発泡網１１に当たる時にも空気を巻き込んで発泡するので、発泡倍率を高く調整することができる。
【００２１】
また、弁体５の頭部５Ａに放射状やスパイラル状の溝を設けてもよく、これにより放出口３から放射された泡水溶液が各発泡網に均等に当たるようにしても良い。
【符号の説明】
【００２２】
１  閉鎖型泡ヘッド、２  ヘッド本体、２Ａ  フランジ部、３  放水口、４  アーム、５  弁体、５Ａ  頭部、５Ｂ  大径部、５Ｃ  挿通部、６  感熱部材（グラスバルブ）、７  デフレクタ、８  係止段部、９  空気取入口、１０  第１の発泡網、１１  第２の発泡網。
【図１】
0005852430.tif 000002
【図２】
0005852430.tif 000003